(57)【要約】【課題】煙突などの構造物の切断時に粉塵の飛散を防止することが可能な構造物解体装置を提供する。【解決手段】煙突２の切断部にワイヤ２２を巻き回し、そのワイヤ２２を走行させて煙突２を切断するワイヤソー切断装置２０と、ワイヤ２２を煙突２の切断部に沿って配置する案内シーブ２４およびワイヤ２２を走行させる駆動機２６を密閉しつつ、煙突２に密接配置する駆動部カバー３０と、煙突２の外周面に沿って配置され、切断部を密閉する切断部カバーとを有する。【選択図】　　　　図２
2004044135.tif 000002
【特許請求の範囲】
【請求項１】
構造物の切断部にワイヤを回し掛け、前記ワイヤを走行させて前記構造物を切断するワイヤソー切断装置と、
前記ワイヤを前記切断部に沿って配置する案内シーブおよび前記ワイヤを走行させる駆動機を密閉しつつ、前記構造物に密接配置する駆動部カバーと、
前記構造物の外周面に沿って配置され、前記切断部を密閉する切断部カバーと、
を有することを特徴とする構造物解体装置。
【請求項２】
筒状構造物を切断する切断装置と、
空気の封入により膨張可能な外径の異なる複数のエアリングを可撓性を有するベースシート上に同軸状に配置した上蓋と、
膨張させた前記エアリングを前記筒状構造物の内側で支持して、前記上蓋を前記筒状構造物の上端部に固定配置する支持部材とを有し、
前記筒状構造物の上端部を前記上蓋によって密閉可能としたことを特徴とする構造物解体装置。
【請求項３】
前記筒状構造物の内部の空気を吸引するポンプと、
前記ポンプにより吸引された空気に含まれる粉塵を捕集するフィルタと、
を有することを特徴とする請求項２に記載の構造物解体装置。
【発明の詳細な説明】
【０００１】
【発明の属する技術分野】
本発明は、構造物解体装置に係り、特に煙突などの柱状の構造物を輪切り状に切断して解体する用途に好適な構造物解体装置に関する。
【０００２】
【従来の技術】
ゴミ焼却場などで不要となった煙突は、その先端部から順に輪切りにし、クレーン等で吊り下ろして、地上で解体している。その具体的な手順は、まず図１に示す第２クレーン８により、煙突の切断部分の近傍に、ステージ足場１０を設営する。そして、ステージ足場１０の上に設置したワイヤソーなどの煙突切断手段（不図示）により、煙突２を切断する。その後、切断・分離した煙突４を第１クレーン６により吊り上げて、地上まで吊り下ろす。
【０００３】
図７に、従来の構造物解体装置の説明図を示す。この構造物解体装置は、煙突切断手段としてワイヤソー切断装置１２０を、ステージ足場１０の上に設置したものである。ワイヤソー切断装置１２０は、煙突の切断部に回し掛けたワイヤ１２２を走行させ、煙突２を切断するものである。そこで、切断部分に沿ってワイヤを配置するための案内シーブ１２４と、ワイヤを走行させるための駆動機１２６とが、ステージ足場１０の上に設置されている。
【０００４】
【発明が解決しようとする課題】
ところで、ゴミ焼却場等の煙突の内面には、ゴミ焼却時に発生したダイオキシン等の有害物質が付着している場合がある。そしてこの有害物質が、煙突を切断する際に大気中に飛散するという問題がある。また、煙突の多くはコンクリート製であり、その内面には耐熱煉瓦が埋め込まれているので、切断時にコンクリートや煉瓦の粉塵が大気中に飛散するという問題がある。これにより、付近の環境が汚染され、また人体に悪影響を及ぼすおそれがある。
本発明は上記問題点に着目し、構造物の切断時に粉塵の飛散を防止することが可能な、構造物解体装置の提供を目的とする。
【０００５】
【課題を解決するための手段】
上記目的を達成するため、本発明に係る構造物解体装置は、構造物の切断部にワイヤを回し掛け、前記ワイヤを走行させて前記構造物を切断するワイヤソー切断装置と、前記ワイヤを前記切断部に沿って配置する案内シーブおよび前記ワイヤを走行させる駆動機を密閉しつつ、前記構造物に密接配置する駆動部カバーと、前記構造物の外周面に沿って配置され、前記切断部を密閉する切断部カバーと、を有する構成とした。これにより、構造物の切断時に発生した粉塵等は、駆動部カバーおよび切断部カバーの内部に閉じ込められる。したがって、構造物の切断時に、ワイヤソー切断装置および切断部から、粉塵等が大気中に飛散するのを防止することができる。
【０００６】
また、本発明に係る構造物解体装置は、筒状構造物を切断する切断装置と、空気の封入により膨張可能な外径の異なる複数のエアリングを、可撓性を有するベースシート上に同軸状に配置した上蓋と、膨張させた前記エアリングを筒状構造物の内側で支持して、前記上蓋を前記筒状構造物の上端部に固定配置する支持部材とを有し、前記筒状構造物の上端部を前記上蓋によって密閉可能とした構成とした。これにより、筒状構造物の内径が異なっても、その内径と同等の外径を有するエアリングを膨張させて、筒状構造物の上端部に固定配置することにより、あらゆる筒状構造物の上端部を密閉することができる。したがって、筒状構造物の切断時に、その筒状構造物の上端部から粉塵等が大気中に飛散するのを防止することができる。
【０００７】
また、前記筒状構造物の内部の空気を吸引するポンプと、前記ポンプにより吸引された空気に含まれる粉塵を捕集するフィルタとを有する構成とした。これにより、筒状構造物の切断時に発生する粉塵は捕集され、筒状構造物の内部に残留しない。したがって、段取りの組み替え時などにも、粉塵等が大気中に飛散するのを防止することができる。
【０００８】
【発明の実施の形態】
本発明に係る構造物解体装置の好ましい実施の形態を、添付図面を用いて説明する。以下には、本発明に係る構造物解体装置の対象となる構造物として、煙突の場合を例にして説明するが、他の柱状の構造物に対しても同様に本発明を適用することができる。
【０００９】
本実施形態に係る構造物解体装置は、図２に示すように、煙突２の切断部にワイヤ２２を回し掛け、そのワイヤ２２を走行させて煙突２を切断するワイヤソー切断装置２０と、ワイヤ２２を煙突２の切断部に沿って配置する案内シーブ２４およびワイヤ２２を走行させる駆動機２６を密閉しつつ、煙突２に密接配置する駆動部カバー３０と、煙突２の外周面に沿って配置され、切断部を密閉する切断部カバーとを有するものである。さらに、図４（２）に示すように、空気の封入により膨張可能な外径の異なる複数のエアリング４２を、可撓性を有するベースシート４１上に同軸状に配置してなる煙突の上蓋４０と、膨張させたエアリング４２を煙突２の内側で支持して、上蓋４０を煙突２の上端部に固定配置する支持部材５０とを有し、煙突２の上端部を上蓋４０によって密閉可能としている。
【００１０】
図１に、本実施形態に係る構造物解体装置の全体の側面図を示す。本実施形態では２機の油圧クレーンを使用する。第１クレーン６は、切断・分離した煙突４を吊り上げて、地上まで吊り下ろすために使用する。第２クレーン８は、その先端部に接続されたステージ足場１０を、煙突２の切断部等に配置するために使用する。なおステージ足場１０は、角度調整シリンダ９により、水平状態を維持できるように形成する。ところで、足場を煙突に固定して設営する場合には、強風により足場が倒壊しないように強固に固定する必要がある。この点、上述したようにクレーンでステージ足場を設営すれば、強風の場合には簡単にステージ足場を取り外して、作業を中断することができる。したがって、足場の設営コストを削減できるとともに、作業者の危険を回避することができる。また、煙突の劣化状況に対応して切断部を自在に変更することができるなど、切断作業の段取り替えを容易に行うことができる。
【００１１】
図２にステージ足場の説明図を示す。なお、同図（１）は平面図であり、同図（２）は（１）のＣ−Ｃ線における側面断面図である。ステージ足場１０は、例えば、第２クレーン８に接続された正面足場１２と、正面足場１２の左右両端部から煙突２の背面側に延びる側面足場１４とで構成する。なお、各足場には手摺り１８を設けて、作業員が落下するのを防止する。
【００１２】
図２の正面足場１２の上には、煙突切断手段としてワイヤソー切断装置２０を設置する。ワイヤソー切断装置２０は、切断部分に沿ってワイヤ２２を走行させることにより煙突２を切断するものである。そのワイヤ２２は、ダイヤモンド粒子等の超硬質ビーズを埋め込んだスチールワイヤ等で構成し、その直径は例えば８〜１０ｍｍ程度とする。そして、切断部分に沿ってワイヤ２２を配置するための案内シーブ２４と、ワイヤ２２を走行させるための駆動機２６とを、正面足場１２の上に設置する。この他に、ワイヤの有効長さを調整するアイドルプーリ（不図示）を設置してもよい。また、走行中のワイヤの潤滑および冷却のため、ワイヤに水を噴霧する給水手段（不図示）を設置してもよい。
【００１３】
さらに、案内シーブ２４および駆動機２６を密閉しつつ煙突２に密接配置する駆動部カバー３０を形成する。駆動部カバー３０は、鋼板やプラスチック板等を箱状に組み合わせ、正面足場１２上に設置された案内シーブ２４および駆動機２６を封入可能な大きさに形成する。なお、正面足場１２に対向する底面と、煙突２に対向する側面は解放する。煙突２に対向する側面の周縁部には、煙突２の外周面形状に沿ったフランジ部３２が設けられている。これにより、駆動部カバー３０が煙突２に密接し、案内シーブ２４および駆動機２６の密閉性を向上させることができる。
【００１４】
加えて、煙突２の切断部表面を密閉する切断部カバー３４を形成する。図３に切断部カバーの説明図を示す。なお同図は、図２（１）のＢ−Ｂ線における側面断面図である。切断部カバー３４は、ビニールシート等により形成する。なお、切断部におけるワイヤ２２の状態を確認できるようにするため、切断部カバー３４は透明な材料で形成するのが望ましい。一方、切断部の上下両側における切断部カバー３４の表面には、ゴム等の弾性材料からなるバンド３６を煙突全周に回し掛けて、切断部カバー３４を固定する。これにより、切断部カバー３４を簡単に着脱することができる。その際、切断部の周囲に空間３５を形成しつつ、切断部カバー３４を固定するのが望ましい。これにより、切断部カバー３４とワイヤ２２との干渉（ワイヤの巻き込み）を防止することができる。
【００１５】
切断部カバー３４は、図２に示すように、煙突２の外周面に沿って、煙突２とワイヤ２２とが接触する部分に配置する。一方、上述した駆動部カバー３０は、煙突２から離れて駆動部を循環走行するワイヤ２２を、すべて内包できる大きさに形成する。具体的には、駆動部カバー３０の内部に、切断部カバー３４の周方向両端部を内包することができる大きさに形成する。これにより、駆動部カバー３０と切断部カバーとを連続して配置することが可能となる。したがって、切断時に発生する粉塵を両カバーの内部に閉じ込めて、外部への飛散を防止することができる。
【００１６】
一方、煙突の上端部を密閉する上蓋４０を形成する。図４に上蓋４０の説明図を示す。なお、同図（１）は斜視図であり、同図（２）は（１）のＤ−Ｄ線における側面断面図であり、同図（３）は（２）のＥ部における拡大図である。上蓋４０は、外径の異なる複数のエアリング４２を、ベースシート４１上に同軸状に配置して構成する。ベースシート４１は、可撓性を有するビニールシート等の材料で構成する。また、エアリング４２も、可撓性および密閉性を有するビニールシート等の材料で構成する。そして、エアリング４２は、給気口４３からの空気の供給により膨張するように形成する。なお図４では、一例として３個のエアリング４２ａ，４２ｂ，４２ｃを形成している。これにより、煙突の内径と同等の外径を有するエアリングのみを膨張させて、煙突の上端部を密閉することができる。
【００１７】
また、膨張させたエアリング４２を煙突２の内側で支持して、上蓋４０を煙突２の上端部に固定配置する支持部材５０を形成する。支持部材５０には、煙突２の上端部と係合する逆Ｕ字状の係合部５１を形成する。また、係合部５１の外側には、支持部材５０を煙突２に固定する固定手段５４を形成する。これにより、支持部材５０を煙突２に対して着脱可能とすることができる。また、係合部５１の内側端部を水平方向に張り出して、上蓋４０の支持部５２を形成する。さらに、支持部５２の上方には、上蓋の脱落を防止する押さえ金具５６を配置する。この押さえ金具５６は、係合部５１に対して着脱可能に形成する。なお、煙突２の周方向数カ所で上蓋４０を支持すべく、複数個の支持部材５０を形成する。
【００１８】
次に、本実施形態に係る構造物解体装置を使用した構造物解体方法ついて、図５および図６を用いて具体的に説明する。なお、図５および図６は、図１のＡ部における拡大図である。
【００１９】
まず、図５に示すように、煙突２にステージ足場１０を設営する。具体的には、図２に示す第２クレーン８を操作し、各側面足場１４の間に煙突２を挿入するように、ステージ足場１０を配置する。
【００２０】
次に、図５に示すように、煙突２の上端部を第１クレーン６に固定する。具体的には、まず煙突壁の貫通孔６０を、煙突２の周方向２カ所に形成する。次に、形成した各貫通孔６０と、吊り治具６４の両端部に形成されたワイヤ通し孔との間に、それぞれ吊りワイヤ６２を掛け渡す。さらに、吊り治具６４のワイヤ通し孔と、第１クレーン６のフックとの間に、吊りワイヤ６６を掛け渡す。これにより、吊り治具６４を介して、煙突２が第１クレーン６に固定される。
【００２１】
次に、煙突２の上端部に上蓋４０を装着する。具体的には、図４に示すように、上蓋４０に形成した複数のエアリング４２のうち、切断すべき煙突２の内径と同等の外径を有するエアリングにつき、給気口４３から空気を供給して膨張させる。次に、支持部材５０を煙突２上端部の周方向４カ所程度に装着する。そして、各支持部材５０の支持部５２の上面に、膨張させたエアリング４２を配置する。これにより、煙突２の内部が密閉される。
【００２２】
次に、ステージ足場１０の上に設けたワイヤソー切断装置で、煙突２を切断する。具体的には、図２に示すように、まず煙突２の切断部にワイヤ２２を回し掛ける。その際、各案内シーブ２４を煙突２に接近させるとともに、各案内シーブ２４同士も相互に接近させて配置し、切断部における煙突２とワイヤ２２との接触長さを確保する。次に、切断部における煙突２とワイヤ２２との接触部分に切断部カバー３４を装着して、煙突２の切断部を密閉する。さらに、各案内シーブ２４および駆動部２６を覆うように駆動部カバー３０を配置して、ワイヤソー切断装置２０全体を密閉する。
【００２３】
煙突２を切断する際には、図５に示すようにまず煙突２の内部の空気を、フィルタ７２を介してポンプ７０により吸引する。なお、煙突２の上端部には上蓋４０が装着されているので、煙突２の内部は負圧となる。次に、ワイヤソー切断装置２０を運転し、ワイヤ２２との摩擦により煙突２の表面を切削する。その際、煙突２を構成するコンクリート等の粉塵が発生するが、切断部カバー２４および駆動部カバー２６により、粉塵を内部に閉じ込めて外部への飛散を防止することができる。さらに煙突２の切削が進むと、切断部における煙突壁の一部に貫通孔が形成される。すると、煙突内部の負圧により粉塵が吸引され、ポンプ７０に接続したフィルタ７２に捕集される。
【００２４】
その後、図６に示すように、切断・分離した煙突４を、第１クレーン６で吊り上げる。なお、上述したように、煙突の切断時に発生した粉塵はフィルタ７２に捕集され、煙突の内部に残留していないので、粉塵が外部に飛散することはない。そして、切断・分離した煙突４の下端部に、鋼板等により形成した下蓋４４を装着する。これにより、切断・分離した煙突４の運搬中に、コンクリートや煉瓦等の破片が落下するのを防止することができる。その後、切断・分離した煙突４を、第１クレーン６で地上まで吊り下ろし、地上で解体する。なお、上蓋４０、下蓋４４および支持部材５０は回収して再利用する。以上の工程を煙突２の上端部から順に繰り返すことにより、煙突２の全体を切断・解体する。
【００２５】
以上に詳述したように、本実施形態に係る構造物解体装置は、案内シーブおよび駆動機を密閉する駆動部カバーと、切断部を密閉する切断部カバーとを有する構成とした。これにより、煙突の切断時に発生した粉塵等は、駆動部カバーおよび切断部カバーの内部に閉じ込められる。したがって、煙突の切断時に、ワイヤソー切断装置および切断部から、粉塵等が大気中に飛散するのを防止することができる。
【００２６】
また、本実施形態に係る構造物解体装置は、外径の異なる複数の複数のエアリングを、ベースシート上に同軸状に配置してなる上蓋を有する構成とした。これにより、煙突の内径が異なっても、その内径と同等の外径を有するエアリングを膨張させて、煙突の上端部に固定配置することにより、あらゆる煙突の上端部を密閉することができる。したがって、煙突の切断時に、煙突の上端部から、粉塵等が大気中に飛散するのを防止することができる。
【００２７】
また、本実施形態に係る構造物解体装置は、煙突内部の空気を吸引するポンプと、ポンプにより吸引された空気に含まれる粉塵を捕集するフィルタとを有する構成とした。これにより、煙突の切断時に発生する粉塵は捕集され、煙突の内部に残留しない。したがって、段取りの組み替え時などにも、粉塵等が大気中に飛散するのを防止することができる。
【００２８】
【発明の効果】
構造物の切断部にワイヤを回し掛け、前記ワイヤを走行させて前記構造物を切断するワイヤソー切断装置と、前記ワイヤを前記切断部に沿って配置する案内シーブおよび前記ワイヤを走行させる駆動機を密閉しつつ、前記構造物に密接配置する駆動部カバーと、前記構造物の外周面に沿って配置され、前記切断部を密閉する切断部カバーとを有する構成としたので、粉塵等が大気中に飛散するのを防止することができる。
【図面の簡単な説明】
【図１】実施形態に係る構造物解体装置の全体の側面図である。
【図２】実施形態に係るステージ足場の説明図であり、（１）は平面図であり、（２）は（１）のＣ−Ｃ線における側面図である。
【図３】切断部カバーの説明図であり、図２（１）のＢ−Ｂ線における側面断面図である。
【図４】上蓋の説明図であり、（１）は斜視図であり、（２）は（１）のＤ−Ｄ線における側面断面図であり、（３）は（２）のＥ部における拡大図である。
【図５】実施形態に係る構造物解体方法の第１説明図である。
【図６】実施形態に係る構造物解体方法の第２説明図である。
【図７】従来技術に係る足場の説明図であり、（１）は平面図であり、（２）は（１）のＦ−Ｆ線における側面図である。
【符号の説明】
２………煙突、４………切断・分離した煙突、６………第１クレーン、８………第２クレーン、１０………ステージ足場、１２………正面足場、１４………側面足場、１８………手摺り、２０………ワイヤソー切断装置、２２………ワイヤ、２４………案内シーブ、２６………駆動機、３０………駆動部カバー、３２………フランジ部、３４………切断部カバー、３５………空間、３６………バンド、４０………上蓋、４１………ベースシート、４２，４２ａ，４２ｂ，４２ｃ………エアリング、４３………給気口、４４………下蓋、５０………支持部材、５１………係合部、５２………支持部、５４………固定手段、５６………押さえ金具、６０………貫通孔、６２………ワイヤ、６４………吊り治具、６６………ワイヤ、７０………真空ポンプ、７２………フィルタ、１２０………ワイヤソー切断装置、１２２………ワイヤ、１２４………案内シーブ、１２６………駆動機。
【図１】
2004044135.tif 000003
【図２】
2004044135.tif 000004
【図３】
2004044135.tif 000005
【図４】
2004044135.tif 000006
【図５】
2004044135.tif 000007
【図６】
2004044135.tif 000008
【図７】
2004044135.tif 000009